(57)【要約】【課題】撮影画像中の被写体人物の眼つぶりの程度を正しく認識できるようにする。【解決手段】顔表情検出部２３が被写体人物の笑顔を検出する毎に、自動撮影部２６は、被写体人物を撮影し、撮影画像が生成される。眼つぶり検出部３０は、その撮影画像中の被写体人物の眼つぶりを検出し、眼つぶりを検出された場合に、表示制御部３２は、当該撮影画像を液晶ディスプレイ３３に拡大表示させる。【選択図】図１
2010062715.tif 000002
【特許請求の範囲】
【請求項１】
被写体を撮像して被写体画像を生成する撮像手段と、
前記被写体画像中の被写体人物の顔表情が所定の顔表情であることを検出する顔表情検出手段と、
前記顔表情検出手段が前記所定の顔表情を検出する毎に、前記撮像手段に撮影画像を生成させる自動撮影手段と、
前記自動撮影手段による前記撮影画像中の被写体人物の眼つぶりを検出する眼つぶり検出手段と、
表示部と、
前記眼つぶり検出手段が前記撮影画像中の被写体人物の眼つぶりを検出した場合に、当該撮影画像を前記表示部に拡大表示させる表示制御手段とを備えることを特徴とする電子スチルカメラ。
【請求項２】
請求項1に記載の電子スチルカメラにおいて、
前記撮影画像を記録するメモリ手段と、
前記表示部による前記撮影画像の拡大表示の後に、前記撮影画像を前記メモリ手段に保存するか否かを選択することができる選択手段とを更に備えることを特徴とする電子スチルカメラ。
【請求項３】
請求項２に記載の電子スチルカメラにおいて、
前記眼つぶり検出手段が前記撮影画像中の被写体人物の眼つぶりを検出した場合に、眼つぶり警告を行うと共に、前記撮影画像を前記メモリ手段に保存するか否かのメッセージを発生する警告手段を更に備えることを特徴とする電子スチルカメラ。
【請求項４】
請求項1に記載の電子スチルカメラにおいて、
前記眼つぶり検出手段が前記撮影画像中の被写体人物の眼つぶりを検出した場合に、当該撮影画像を削除する削除手段と、
モード切換え手段とを更に備え、
前記モード切換え手段は、前記眼つぶり検出手段が前記撮影画像中の被写体人物の眼つぶりを検出した場合に、前記表示部によって前記撮影画像を拡大表示する第１のモードと、前記眼つぶり検出手段が前記撮影画像中の被写体人物の眼つぶりを検出した場合に、前記削除手段によって前記撮影画像を削除する第２のモードとを切換えることを特徴とする電子スチルカメラ。
【請求項５】
請求項１に記載の電子スチルカメラにおいて、
前記撮影画像を記録するメモリ手段と、
前記眼つぶり検出手段により被写体人物の眼つぶりが検出された前記撮影画像と前記眼つぶりを示す属性情報とを互いに関連付けて前記メモリ手段に保存する画像記録制御手段と、
前記属性情報が付された撮影画像を前記表示部に再生する画像再生手段とを更に備えることを特徴とする電子スチルカメラ。
【請求項６】
請求項５に記載の電子スチルカメラにおいて、
前記画像再生手段は、前記属性情報が付された撮影画像を前記表示部にサムネイル一覧表示すると共に、拡大表示することを特徴とする電子スチルカメラ。
【請求項７】
請求項１に記載の電子スチルカメラにおいて、
前記撮影画像中の複数の被写体人物のうち、前記眼つぶり検出手段により目つぶりが検出された場合、目つぶりが検出されなかった非目つぶり人物に対しては、前記非目つぶり人物の部分画像をトリミングする自動トリミング手段を更に備えることを特徴とする電子スチルカメラ。
【発明の詳細な説明】
【技術分野】
【０００１】
本発明は、被写体の顔の表情を認識して自動的に撮影を行う機能を有する電子スチルカメラに関する。
【背景技術】
【０００２】
従来、画像データ中の被写体人物の目が閉じているか否かを判断し、目が閉じていると判断した場合に警告を発する撮像装置が知られている。（例えば、特許文献１参照）。特許文献１の装置は、被写体人物が目を閉じていると判断した場合に警告を発するので、撮影者は直ぐに写真を撮り直すことができ、納得のいく画像が得られるという利点がある。
【０００３】
【特許文献１】特開２００１−３３８３０８号公報
【発明の開示】
【発明が解決しようとする課題】
【０００４】
しかしながら、特許文献１の技術では、被写体人物が目を閉じていると判断した場合に警告を発するだけなので、どの程度の目つぶり状態であるのか分からないという問題がある。
【課題を解決するための手段】
【０００５】
（１）請求項１の発明による電子スチルカメラは、被写体を撮像して被写体画像を生成する撮像手段と、被写体画像中の被写体人物の顔表情が所定の顔表情であることを検出する顔表情検出手段と、顔表情検出手段が前記所定の顔表情を検出する毎に、撮像手段に撮影画像を生成させる自動撮影手段と、自動撮影手段による撮影画像中の被写体人物の眼つぶりを検出する眼つぶり検出手段と、表示部と、眼つぶり検出手段が撮影画像中の被写体人物の眼つぶりを検出した場合に、当該撮影画像を表示部に拡大表示させる表示制御手段とを備えることを特徴とする。
【発明の効果】
【０００６】
本発明の電子スチルカメラによれば、被写体人物の眼が閉じていることを検出したときに、その画像を拡大表示するので、どの程度の目つぶり状態であるのかを容易に知ることができる。
【発明を実施するための最良の形態】
【０００７】
以下、本発明の実施の形態による電子スチルカメラについて、図１〜４を参照しながら説明する。
−第１の実施の形態−
図１は、本発明の実施の形態による電子スチルカメラの構成を示すブロック図である。
【０００８】
図１に示されるように、電子スチルカメラは、撮影レンズ１１、絞り１２、撮像素子１３、バッファメモリ１４、画像処理部１５、画像記録部１６および制御部２０を備える。また、電子スチルカメラは、顔検出部２１、顔データ記憶部２２、顔表情検出部２３、顔表情データ記憶部２４、顔表情設定部２５、自動撮影部２６、眼つぶり検出部３０、眼開閉データ記録部３１、表示制御部３２および液晶ディスプレイ３３を備える。さらに、電子スチルカメラは、顔表情撮影モード設定部４０、モード切換え部４１、画像選択部４２、画像再生部５０、警告部５１、自動削除部５２および自動トリミング部５３を備える。
【０００９】
撮影レンズ１１は、ズームレンズやフォーカスレンズを含む複数のレンズで構成され、被写体像を撮像素子１３上に結像する。図１では簡単のため、撮影レンズ１１は１枚のレンズで示されている。撮像素子１３は、撮影レンズ１１からの被写体光Ｌ１を光電変換することにより画像信号を生成する。
【００１０】
撮像素子１３から出力される画像信号は、バッファメモリ１４を介して画像処理部１５に送られ、ここで所定の種々の画像処理が施される。撮影開始前の段階では、撮像素子１３からの画像信号は、バッファメモリ１４、画像処理部１５および制御部２０を介して液晶ディスプレイ３３に送られ、スルー画像として表示される。撮影段階では、撮像素子１３からの画像信号は、バッファメモリ１４、画像処理部１５を介して画像記録部１６にて記録される。
画像記録部１６は、不揮発性メモリ１６ａと画像記録制御部１６ｂとを有し、画像記録制御部１６ｂは、画像情報とその画像に関する属性情報とを関連付けてメモリ１６ａに記録する。
【００１１】
顔検出部２１は、撮像素子１３からバッファメモリ１４、画像処理部１５、制御部２０を介して送られたスルー画像データを入力し、このスルー画像データを顔データ記憶部２２に予め記憶されている顔データと比較することにより、スルー画像中の被写体人物の顔を検出する。被写体人物が複数人いる場合は、全員の顔を個別に検出する。検出された顔領域の画像は、顔検出部２１から制御部２０へ送られる。顔データ記憶部２２は、例えば、眉、眼、鼻、唇の形状に関する特徴点のデータを記憶している。
【００１２】
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１３】
他の顔検出としては、例えば、特開２００５−１５７６７９号公報に開示されている検出手法を用いることができる。この検出手法は、先ず、入力画像中の２画素間の輝度差を特徴量として学習しておき、その特徴量に基づいて入力画像中の所定領域に顔が存在するか否かを示す推定値を算出し、推定値が１以上のときにその所定領域に顔が存在すると判別するものである。
【００１４】
顔表情検出部２３は、顔検出部２１により検出された顔領域の画像を制御部２０を介して入力し、その顔領域の画像の顔表情を顔表情データ記憶部２４に予め記憶されている所定の顔表情データと比較することにより、顔領域の画像中の被写体人物の顔表情が所定の顔表情データに対応することを検出する。この顔表情検出は、一定の時間間隔毎に行われる。
【００１５】
顔表情には、笑顔、泣き顔、怒り顔、驚き顔、寝顔などの様々な種類があり、顔表情データ記憶部２４は、これらの複数の顔表情データを記憶している。
顔表情設定部２５は、被写体人物の複数の顔表情を外部から設定する操作部であり、以下の説明では、顔表情として笑顔を設定したものとして説明する。
【００１６】
顔表情検出部２３が顔領域の画像の顔表情を検出する場合には、特開２００８−４２３１９号公報に開示されている検出手法を用いることができる。この検出手法は、例えば笑顔であることを検出するには、検出された画像の顔が笑顔と通常時の顔という２つの顔表情のいずれに近いかに基づいて表情の種類を判断するものである。
【００１７】
顔表情検出部２３は、被写体人物の顔表情が笑顔であることを検出すると、検出信号を制御部２０に対して出力する。
自動撮影部２６は、顔表情検出部２３からの検出信号に応じて制御部２０から発せられる信号に基づき、撮影レンズ１１、絞り１２および撮像素子１３に動作信号を出力して被写体の自動撮影を行う。この自動撮影は、顔表情検出部２３により笑顔を検出する毎に１枚の画像を撮像する。
【００１８】
眼つぶり検出部３０は、顔検出部２３により検出された顔領域の画像を制御部２０から入力し、この顔画像から抽出した眼の画像データを眼開閉データ記憶部３１に予め記憶されている眼開閉データと比較することにより、被写体人物の眼つぶりを検出する。そして、眼つぶり検出部３０は、眼つぶりを検出すると、眼つぶり検出信号を制御部２０に対して出力する。なお、眼つぶり検出部３０は、まぶたが完全に閉じた状態を目つぶりとして検出するが、顔画像の不鮮明度などにより、薄目状態を眼つぶりとして検出することもあり得る。
【００１９】
眼の開閉検出としては、例えば、特開２０００−３４７２７７号公報に開示されている検出手法を用いることができる。この検出手法は、眼の白色部分の面積を算出し、その面積の大小によって眼が開いているか閉じているかを検出するものである。
【００２０】
表示制御部３２は、液晶ディスプレイ３３による表示を制御する。すなわち、表示制御部３２は、液晶ディスプレイ３３がスルー画像の表示、バッファメモリ１４に一時的に記録されている撮影画像の表示、画像記録部１６のメモリ１６ａに保存された撮影画像の再生表示を行なう時に、画像の拡大表示などの表示態様を制御する。
【００２１】
液晶ディスプレイ３３は、スルー画像の表示やバッファメモリ１４に一時的に記録されている撮影画像、メモリ１６ａに保存された撮影画像の表示を行い、また、表示制御部３２の指令により画像の拡大表示などを行う。液晶ディスプレイ３３には、画像だけではなく、テキストや記号などを表示することもできる。
【００２２】
顔表情撮影モード設定部４０は、被写体人物の所定の顔表情、例えば笑顔を検出すると、自動撮影を実行するモードをＯＮ／ＯＦＦ設定する操作部である。
【００２３】
モード切換え部４１は、顔表情撮影モードで撮影された撮影画像中、眼つぶり検出部３０によって被写体人物の眼つぶりが検出された撮影画像をどのように処理するかについての処理方法（モード）を択一的に選択する操作部である。その処理方法として、第１のモードは、眼つぶりが検出された撮影画像を液晶ディスプレイ３３上に拡大表示するものであり、第２のモードは、眼つぶりが検出された撮影画像を自動的に削除するモードである。
【００２４】
画像選択部４２は、上述の第１のモードが選択されている場合に、被写体人物の眼つぶりが検出された撮影画像を画像記録部１６のメモリ１６ａに保存するか否かを外部操作により選択するための操作部である。
【００２５】
画像再生部５０は、メモリ１６ａに保存されている撮影画像などの情報の検索や再生を行う操作部である。
【００２６】
警告部５１は、上述の第１のモードが選択されている場合に、被写体人物の眼つぶりが検出されたことを液晶ディスプレイ３３に文字や記号を表示して警告するとともに、眼つぶりが検出された撮影画像をメモリ１６ａに保存するか否かのメッセージを液晶ディスプレイ３３に表示する。これらの警告や表示は、眼つぶり検出部３０からの眼つぶり検出信号に基づいて行われる。なお、警告動作は、音声やメロディーなどを用いて行ってもよい。
【００２７】
自動削除部５２は、上述の第２のモードが選択されている場合に、眼つぶり検出部３０からの眼つぶり検出信号に基づいて、被写体人物の眼つぶりが検出された撮影画像を削除する。
【００２８】
自動トリミング部５３は、撮影画像中の複数の人物のうちの一人について、眼つぶりが眼つぶり検出部３０によって検出されたときに、眼を閉じていない非眼つぶり人物の部分画像をトリミングする。すなわち、眼つぶり検出部３０により眼つぶりを検出しなかった被写体人物の部分画像をトリミングする。
【００２９】
以上のように構成された電子スチルカメラにおいて、笑顔撮影モードが設定された場合のカメラの動作について説明する。
先ず、顔表情撮影モード設定部４０をＯＮとし、顔表情設定部２５によって顔表情の種類として笑顔を設定する。また、モード切換え部４１により、第１モードに切換える。
【００３０】
顔表情検出部２３は、顔検出部２１により検出された被写体人物の顔画像を顔表情データ記憶部２４に記憶されている笑顔データと比較し、被写体人物の笑顔を検出し、笑顔検出信号を出力する。
【００３１】
制御部２０は、その検出信号を受けると、自動撮影部２６へ信号を出力する。自動撮影部２６は、制御部２０から発せられる信号に応じて、撮影レンズ１１、絞り１２および撮像素子１３に動作信号を出力し、笑顔の被写体人物の自動撮影を行う。自動撮影された撮影画像は、バッファメモリ１４に一時的に記録される。
【００３２】
バッファメモリ１４に記録された撮影画像は、画像処理部１５、制御部２０を介して眼つぶり検出部３０に入力される。眼つぶり検出部３０は、撮影画像中の被写体人物の眼が閉じていることを検出すると、眼つぶり検出信号を発生する。制御部２０は、この眼つぶり検出信号を受けると、表示制御部３２へ信号を出力する。表示制御部３２は、制御部２０から発せられる信号に応じて、眼つぶりが検出された画像を液晶ディスプレイ３３の画面上に拡大表示させる。この拡大表示は、眼つぶり人物の顔部分について行われる。
【００３３】
また、上記の眼つぶり検出信号が発生すると、制御部２０は、警告部５１へ信号を出力する。警告部５１は、この信号により、被写体人物の眼つぶりが検出されたことを液晶ディスプレイ３３に文字や記号を表示して警告するとともに、眼つぶりが検出された撮影画像をメモリ１６ａに保存するか否かのメッセージを液晶ディスプレイ３３に表示する。メッセージは、拡大表示された画像にスーパーインポーズ表示することもできる。なお、警告およびメッセージ表示の一方だけを行う構成としてもよい。
【００３４】
眼つぶり検出を報せる警告と、眼つぶり検出画像の拡大表示と、眼つぶり検出画像の保存の有無を報せるメッセージ表示との間の動作順については、警告と拡大表示とメッセージ表示との３動作の発生タイミングを同時としてもよいし、または、警告、拡大表示、メッセージ表示の順に動作させてもよい。
【００３５】
バッファメモリ１４に一時記録された眼つぶり検出画像を拡大表示した後に、この眼つぶり検出画像をメモリ１６ａに保存するか否かを選択することができる。すなわち、画像選択部４２を操作することにより、画像を保存するか削除するかをマニュアルで選択することができる。
【００３６】
保存を選択した場合は、眼つぶり検出画像は、画像記録制御部１６ｂによって画像情報と被写体人物が眼を閉じていることを示す属性情報とが関連付けられ、属性情報が付加された画像情報としてメモリ１６ａに保存される。一方、削除を選択した場合は、眼つぶり検出画像は、バッファメモリ１４から削除される。
【００３７】
眼つぶり検出画像についてその顔部分を拡大表示するのは、被写体人物がどの程度の眼つぶり状態であったか、例えば、完全な眼つぶり状態か、それとも薄目状態かなどを撮影者が視認し易くするためである。どの程度の眼つぶりならば、それを許容できるかは撮影者によって判断が異なる。また、眼の大きさは個人差が大きいので、どの程度の眼つぶりならば、それを許容するかはその被写体人物の眼の大きさも考慮しなければならない。撮影者は、拡大表示画面を見てその画像を保存するかそれとも削除するかを容易に決定できる。
【００３８】
モード切換え部４１によって第１モードから第２モードに切換えた場合は、以下のように動作する。
第２モードにおいても、眼つぶり検出部３０による眼つぶり検出信号の発生までは第１モードと同様に動作する。第２モードでは、眼つぶり検出信号が発生すると、制御部２０は、自動削除部５２へ信号を出力する。自動削除部５２は、制御部２０からの信号に応じて、被写体人物の眼つぶりが検出された撮影画像を自動的に削除する。
【００３９】
本実施の形態による電子スチルカメラは以下の作用効果を奏する。
（１）撮影画像中の被写体人物の眼が閉じていることを検出すると、眼つぶりが検出された画像を拡大表示するので、眼つぶりの程度を正しく認識することができる。
（２）拡大表示された眼つぶり検出画像を確認した上で、画像を保存するか否かをマニュアルで選択することにより、眼つぶりが検出された画像でも必要な画像であれば保存することができる。
（３）モード切換え部４１によって第１モードと第２モードとを切換えることができるので、眼つぶり検出画像に対してマニュアル保存、マニュアル削除、自動削除の多様な処理が可能である。
【００４０】
−第２の実施の形態−
第２の実施の形態の電子スチルカメラも、第１の実施の形態で説明した図１のブロック図で示す構成と以下の相違点を除いて同一であるので、構成の説明は省略する。
構成の相違点は、画像記録制御部１６ｂが画像情報とその画像情報に関する属性情報とを関連付けて画像記録部１６のメモリ１６ａに記録することに加えて、属性情報が付加された眼つぶり検出画像のリストを作成する点である。
【００４１】
第２の実施の形態の電子スチルカメラでは、笑顔撮影モードが設定される場合に以下のように動作する。
顔表情撮影モード設定部４０をＯＮとし、顔表情設定部２５によって顔表情の種類として笑顔を設定する。また、モード切換え部４１により、第１モードに切換える。
顔表情検出部２３は、顔検出部２１により検出された被写体人物の顔画像を顔表情データ記憶部２４に記憶されている笑顔データと比較し、被写体人物の笑顔を検出し、笑顔検出信号を出力する。
【００４２】
制御部２０は、その検出信号を受けると、自動撮影部２６へ信号を出力する。自動撮影部２６は、制御部２０から発せられる信号に応じて、撮影レンズ１１、絞り１２および撮像素子１３に動作信号を出力し、笑顔の被写体人物の自動撮影を行う。自動撮影された撮影画像は、バッファメモリ１４に一時的に記録される。
【００４３】
バッファメモリ１４に記録された撮影画像は、画像処理部１５、制御部２０を介して眼つぶり検出部３０に入力される。眼つぶり検出部３０は、撮影画像中の被写体人物の眼が閉じていることを検出すると、眼つぶり検出信号を発生する。ここまでのプロセスは、第１の実施の形態の説明と同様である。
【００４４】
第１の実施の形態では、眼つぶり検出信号の発生により、眼つぶり検出画像の拡大表示が行われた。これに対し、第２の実施の形態では、この時点では拡大表示を行わず、眼つぶり検出信号に基づいて、画像記録制御部１６ｂは、画像情報と被写体人物が眼を閉じていることを示す属性情報とを関連付け、眼つぶり検出画像は、属性情報が付加された画像情報としてメモリ１６ａに記録される。このようにして、顔表情検出部２３は、一定の時間間隔毎に笑顔検出を行い、笑顔を検出する毎にこの笑顔について自動撮影が行われ、その撮影画像が順次、メモリ１６ａに記録される。このとき、眼つぶり検出部３０が眼つぶりを検出した笑顔画像については、眼つぶり情報が属性情報として付加されてメモリ１６ａに記録される。
【００４５】
また、画像記録制御部１６ｂは、属性情報が付加された眼つぶり検出画像のリストを作成する。そして、画像再生部５０を再生モードにすると、属性情報が付加された眼つぶり検出画像がリストに基づいて液晶ディスプレイ３３上に再生される。
【００４６】
この再生表示の時には、図２に示されるように、液晶ディスプレイ３３上に、眼つぶり検出画像のサムネイル一覧画像が表示される。図２において、６枚のサムネイル再生画像１００には、これらの画像が眼つぶり検出画像であることを表すマーク１０１が付されている。
【００４７】
表示制御部３２は、６枚のサムネイル再生画像１００について、眼つぶり情報に基づいて所定の時間間隔で次々に拡大表示する。この拡大表示と同時又は拡大表示の直後に、警告部５１は、その眼つぶり検出画像を画像記録部１６のメモリ１６ａに保存するか否かのメッセージを液晶ディスプレイ３３に表示する。ユーザーは、画像選択部４２を操作することにより、画像を保存するか削除するかをマニュアルで選択する。保存を選択した場合は、眼つぶり検出画像は、そのままの状態、すなわち属性情報が付加された画像情報としてメモリ１６ａに保存される。一方、削除を選択した場合は、眼つぶり検出画像は、メモリ１６ａから削除される。こうして、サムネイル表示された６枚の眼つぶり検出画像の各々について、画像の拡大表示とメッセージ表示と画像の保存／削除の選択とが行われる。
【００４８】
モード切換え部４１によって第１モードから第２モードに切換えた場合は、第１の実施の形態と同様に、眼つぶり検出信号の発生により、自動削除部５２は、被写体人物の眼つぶりが検出された撮影画像をメモリ１６ａに記憶する前に自動的に削除する。
【００４９】
本実施の形態の電子スチルカメラも、第１の実施の形態の電子スチルカメラと同様の作用効果を奏する。さらに、本実施の形態では、眼つぶり検出画像を、被写体人物が眼を閉じていることを示す属性情報が付加された画像情報として画像記録部１６に記録しておき、再生時に画像の拡大表示を行うので、ユーザーは、時間的余裕をもって眼つぶりの程度などを確認できる。顔表情検出部２３が一定の時間間隔で次々と笑顔検出を行って、笑顔自動撮影を連続的に行う場合には、本実施の形態は特に有効である。
【００５０】
これまでの実施の形態にあっては、顔表情検出部２３は、バッファメモリ１４に記録された撮影画像について眼つぶり検出を行うものであった。その他にも、顔表情検出部２３がメモリ１６ａに記録された撮影画像について眼つぶり検出を行う構成とすることもできる。
【００５１】
このような構成の変形例を以下に詳細に説明する。
顔表情検出部２３が笑顔を検出する毎に、この検出に基づき自動撮影部２６によって自動撮影が行われ、撮影された笑顔画像はすべてバッファメモリ１４から画像処理部１５を介して画像記録部１６に送られてメモリ１６ａに記録される。この時、笑顔画像は、笑顔検出による自動撮影が行われたことを示す付加情報とともにメモリ１６ａに記録される。
【００５２】
画像再生部５０によって再生モードが設定されると、自動撮影された笑顔画像がメモリ１６ａから順次読み出される。眼つぶり検出部３０は、これらの読み出された笑顔画像について順次眼つぶり検出を行う。こうして、眼つぶりが検出された笑顔画像には、眼つぶりを表す属性情報が付加される。笑顔画像は、眼つぶり検出が終了すると、図３に示すように液晶ディスプレイ３３上にサムネイル一覧表示される。
【００５３】
図３に示されるサムネイル一覧画像において、すべての撮影画像（図中、画像１から画像１８までの１８枚）のうち、画像３，６，１０，１１，１５，１８の６枚に眼つぶりを示す属性情報（マーク１０１）が付加されている。再生時に、表示制御部３２は、このマーク１０１を読み取ることにより、眼つぶり検出画像を液晶ディスプレイ３３上に拡大表示する。拡大表示後の動作は、第２の実施の形態と同じである。
【００５４】
−第３の実施の形態−
本発明の第３の実施の形態による電子スチルカメラの動作の特徴を以下に説明する。
図４（ａ）に示されるように、複数の被写体人物、すなわち、被写体人物１１１と１１２が撮影された撮影画像１１０において、人物１１１は、眼つぶり検出部３０によって眼つぶりが検出され、人物１１２は、眼つぶりが検出されていないとする。この撮影画像１１０については、第１および第２の実施の形態で説明したのと同様に、第１モードでは、眼つぶり検出信号に基づき、眼つぶり検出を報せる警告と、人物１１１の顔部分画像の拡大表示と、眼つぶり検出画像の保存の有無を報せるメッセージ表示の各動作が行われる。
【００５５】
ユーザーは、画像選択部４２を操作することにより、画像を保存するか削除するかをマニュアルで選択する。保存を選択した場合は、撮影画像１１０は、被写体人物が眼を閉じていることを示す属性情報が付加された画像情報として画像記録部１６のメモリ１６ａに保存される。削除を選択した場合は、撮影画像１１０は、バッファメモリ１４または画像記録部１６から削除される。
【００５６】
一方、この撮影画像１１０中の眼つぶりが検出されていない非眼つぶり人物１１２に対しては、自動トリミング部５３は、非眼つぶり人物１１２の部分画像をトリミングし、図４（ｂ）に示すような非眼つぶり人物のトリミング画像１１０ａを生成する。トリミング画像１１０ａは画像記録部１６のメモリ１６ａに保存される。なお、非眼つぶり人物が複数いる場合は、順次、トリミング画像の生成と保存を行う。
このように、第１モードに設定し、画像保存を選択すると、眼つぶり検出画像とトリミング画像の両方を保存することができる。
本発明は、その特徴を損なわない限り、以上説明した実施の形態に何ら限定されない。
【図面の簡単な説明】
【００５７】
【図１】本発明の実施の形態に係る電子スチルカメラの構成を示すブロック図である。
【図２】眼つぶり検出画像のサムネイル一覧画像が表示された液晶ディスプレイ画面を模式的に示す図である。
【図３】眼つぶり検出画像を含む全画像のサムネイル一覧画像が表示された液晶ディスプレイ画面を模式的に示す図である。
【図４】自動トリミング部５３によるトリミングを説明するための図であり、図４（ａ）は撮影画像、図４（ｂ）はトリミング画像を模式的に示す図である。
【符号の説明】
【００５８】
１６：画像記録部                １６ａ：メモリ
１６ｂ：画像記録制御部          ２０：制御部
２３：顔表情検出部              ２６：自動撮影部
３０：眼つぶり検出部            ３２：表示制御部
３３：液晶ディスプレイ          ４０：顔表情撮影モード設定部
４１：モード切換え部            ４２：画像選択部
５０：画像再生部                ５１：警告部
５２：自動削除部                ５３：自動トリミング部
【図１】
2010062715.tif 000003
【図２】
2010062715.tif 000004
【図３】
2010062715.tif 000005
【図４】
2010062715.tif 000006